(57)【要約】［課題］RRCコネクションの確立が完了する前に、基地局が、移動局の能力情報を知ることができる新たな仕組みを提供する。［解決手段］基地局は、移動局と無線通信を行うように構成される。基地局は、Radio Resource Control（RRC）コネクションの確立が完了する前に、少なくとも一つの情報要素を含むメッセージを受信するように構成される通信機を有する。基地局は、該少なくとも一つの情報要素に基づき、該移動局の能力に関する能力情報を取得するように構成されるプロセッサを有する。
2018021080.tif 000002
【特許請求の範囲】
【請求項１】
移動局と無線通信を行うように構成される基地局であって、
Radio Resource Control（RRC）コネクションの確立が完了する前に、少なくとも一つの情報要素を含むメッセージを受信するように構成される通信機と、
前記少なくとも一つの情報要素に基づき、前記移動局の能力に関する能力情報を取得するように構成されるプロセッサと、を有する、
基地局。
【請求項２】
前記能力情報は、
前記移動局の伝送モードを示す情報である、
請求項１に記載の基地局。
【請求項３】
前記メッセージは、
前記移動局によって送信されるRRC Connection Requestメッセージである、
請求項１または２に記載の基地局。
【請求項４】
前記メッセージは、
前記基地局と通信するコアネットワーク装置によって送信される、PAGINGメッセージである、
請求項１または２に記載の基地局。
【請求項５】
前記PAGINGメッセージに含まれる前記少なくとも一つの情報要素は、
前記能力情報と、前記移動局を識別する識別情報を、含む、
請求項４記載の基地局。
【請求項６】
前記メッセージは、
前記ＲＲＣコネクションが確立される以前に切断されたＲＲＣコネクションに関する前記移動局から送信されたUE Capability Informationメッセージであり、
前記ＲＲＣコネクションの確立時に、前記UE Capability Informationメッセージに含まれる前記能力情報に基づき、前記無線通信のための無線パラメータが決定される、
請求項１または２に記載の基地局。
【請求項７】
前記ＲＲＣコネクションの確立時に、前記能力情報を保持するように構成される記憶装置を有する、
請求項１乃至６のいずれか一項に記載の基地局。
【請求項８】
前記記憶装置は、
前記能力情報を、前記ＲＲＣコネクションが切断された後も保持する、
請求項７記載の基地局。
【請求項９】
前記プロセッサは、
前記ＲＲＣコネクションの確立時に、前記能力情報に基づき、前記無線通信のための無線パラメータを決定し、
前記通信機は、
前記無線パラメータを、前記移動局に送信する、
請求項１乃至８のいずれか一項に記載の基地局。
【請求項１０】
基地局と無線通信を行うように構成される移動局であって、
前記移動局の能力に関する能力情報を、メッセージの情報要素として含めるように構成されるプロセッサと、
Radio Resource Control（RRC）コネクションの確立が完了する前に、前記情報要素を含む前記メッセージを、前記基地局に送信するように構成される通信機と、を有する、
移動局。
【請求項１１】
前記能力情報は、
前記移動局の伝送モードを示す情報である、
請求項１０に記載の移動局。
【請求項１２】
前記メッセージは、
前記移動局によって送信されるRRC Connection Requestメッセージである、
請求項１０または１１に記載の移動局。
【請求項１３】
前記メッセージは、
前記ＲＲＣコネクションが確立される以前に切断されたＲＲＣコネクションに関する前記移動局から送信されたUE Capability Informationメッセージであり、
前記ＲＲＣコネクションの確立時に、前記UE Capability Informationメッセージに含まれる前記能力情報に基づき、前記無線通信のための無線パラメータが決定される、
請求項１０または１１に記載の移動局。
【請求項１４】
前記ＲＲＣコネクションの確立時に、前記能力情報に基づき、前記無線通信のための無線パラメータを決定され、
前記通信機は、
前記決定された前記無線パラメータを、前記基地局から受信する、
請求項１０乃至１３のいずれか一項に記載の移動局。
【請求項１５】
基地局と通信可能に構成されるコアネットワーク装置であって、
移動局の能力に関する能力情報を、メッセージの情報要素として含めるように構成されるプロセッサと、
Radio Resource Control（RRC）コネクションの確立が完了する前に、前記情報要素を含む前記メッセージを、前記基地局に送信するように構成されるインタフェースと、を有する、
コアネットワーク装置。
【請求項１６】
前記能力情報は、
前記移動局の伝送モードを示す情報である、
請求項１５に記載のコアネットワーク装置。
【請求項１７】
前記メッセージは、
前記コアネットワーク装置によって送信される、PAGINGメッセージである、
請求項１５または１６に記載のコアネットワーク装置。
【請求項１８】
前記PAGINGメッセージに含まれる前記少なくとも一つの情報要素は、
前記能力情報と、前記移動局を識別する識別情報を、含む、
請求項１７記載のコアネットワーク装置。
【請求項１９】
通信システムであって、
移動局と、
前記移動局と無線通信する基地局とを有し、
前記基地局は、
Radio Resource Control（RRC）コネクションの確立が完了する前に、少なくとも一つの情報要素を含むメッセージを受信し、
前記少なくとも一つの情報要素に基づき、前記移動局の能力に関する能力情報を取得する、
通信システム。
【請求項２０】
前記能力情報は、
前記移動局の伝送モードを示す情報である、
請求項１９に記載の通信システム。
【請求項２１】
前記メッセージは、
前記移動局によって送信されるRRC Connection Requestメッセージである、
請求項１９または２０に記載の通信システム。
【請求項２２】
前記メッセージは、
前記基地局と通信するコアネットワーク装置によって送信されるPAGINGメッセージである、
請求項１９または２０に記載の通信システム。
【請求項２３】
前記PAGINGメッセージに含まれる前記少なくとも一つの情報要素は、
前記能力情報と、前記移動局を識別する識別情報を、含む、
請求項２２記載の通信システム。
【請求項２４】
前記メッセージは、
前記ＲＲＣコネクションが確立される以前に切断されたＲＲＣコネクションに関する前記移動局から送信されたUE Capability Informationメッセージであり、
前記基地局は、
前記ＲＲＣコネクションの確立時に、前記UE Capability Informationメッセージに含まれる前記能力情報に基づき、前記無線通信のための無線パラメータを決定する、
請求項１９または２０に記載の通信システム。
【請求項２５】
前記基地局は、
前記ＲＲＣコネクションの確立時に、前記能力情報を保持する、
請求項１９乃至２４のいずれか一項に記載の通信システム。
【請求項２６】
前記基地局は、
前記能力情報を、前記ＲＲＣコネクションが切断された後も保持する、
請求項２５記載の通信システム。
【請求項２７】
前記基地局は、
前記ＲＲＣコネクションの確立時に、前記能力情報に基づき、前記無線通信のための無線パラメータを決定し、
前記無線パラメータを、前記移動局に送信する、
請求項１９乃至２６のいずれか一項に記載の通信システム。
【請求項２８】
移動局と無線通信を行うように構成される基地局の通信方法であって、
Radio Resource Control（RRC）コネクションの確立が完了する前に、少なくとも一つの情報要素を含むメッセージを受信し、
前記少なくとも一つの情報要素に基づき、前記移動局の能力に関する能力情報を取得する、
通信方法。
【請求項２９】
前記能力情報は、
前記移動局の伝送モードを示す情報である、
請求項２８に記載の通信方法。
【請求項３０】
前記メッセージは、
前記移動局によって送信されるRRC Connection Requestメッセージである、
請求項２８または２９に記載の通信方法。
【請求項３１】
前記メッセージは、
前記基地局と通信するコアネットワーク装置によって送信される、PAGINGメッセージである、
請求項２８または２９に記載の通信方法。
【請求項３２】
前記PAGINGメッセージに含まれる前記少なくとも一つの情報要素は、
前記能力情報と、前記移動局を識別する識別情報を、含む、
請求項３１記載の通信方法。
【請求項３３】
前記メッセージは、
前記ＲＲＣコネクションが確立される以前に切断されたＲＲＣコネクションに関する前記移動局から送信されたUE Capability Informationメッセージであり、
前記ＲＲＣコネクションの確立時に、前記UE Capability Informationメッセージに含まれる前記能力情報に基づき、前記無線通信のための無線パラメータを決定する、
請求項２８または２９に記載の通信方法。
【請求項３４】
前記ＲＲＣコネクションの確立時に、前記能力情報を保持する、
請求項２８乃至３３のいずれか一項に記載の通信方法。
【請求項３５】
前記能力情報を、前記ＲＲＣコネクションが切断された後も保持する、
請求項３４記載の通信方法。
【請求項３６】
前記ＲＲＣコネクションの確立時に、前記能力情報に基づき、前記無線通信のための無線パラメータを決定し、
前記無線パラメータを、前記移動局に送信する、
請求項２８乃至３５のいずれか一項に記載の通信方法。
【請求項３７】
移動局と無線通信を行うように構成される基地局のプログラムであって、
Radio Resource Control（RRC）コネクションの確立が完了する前に、少なくとも一つの情報要素を含むメッセージを受信すること、
前記少なくとも一つの情報要素に基づき、前記移動局の能力に関する能力情報を取得すること、
をコンピュータに実行させるプログラムが記憶された記憶媒体。
【請求項３８】
前記能力情報は、
前記移動局の伝送モードを示す情報である、
請求項３７に記載のプログラムが記憶された記憶媒体。
【請求項３９】
前記メッセージは、
前記移動局によって送信されるRRC Connection Requestメッセージである、
請求項３７または３８に記載のプログラムが記憶された記憶媒体。
【請求項４０】
前記メッセージは、
前記基地局と通信するコアネットワーク装置によって送信される、PAGINGメッセージである、
請求項３７または３８に記載のプログラムが記憶された記憶媒体。
【請求項４１】
前記PAGINGメッセージに含まれる前記少なくとも一つの情報要素は、
前記能力情報と、前記移動局を識別する識別情報を、含む、
請求項４０記載のプログラムが記憶された記憶媒体。
【請求項４２】
前記メッセージは、
前記ＲＲＣコネクションが確立される以前に切断されたＲＲＣコネクションに関する前記移動局から送信されたUE Capability Informationメッセージであり、
前記ＲＲＣコネクションの確立時に、前記UE Capability Informationメッセージに含まれる前記能力情報に基づき、前記無線通信のための無線パラメータを決定する、
請求項３７または３８に記載のプログラムが記憶された記憶媒体。
【請求項４３】
前記ＲＲＣコネクションの確立時に、前記能力情報を保持する、
請求項３７乃至４２のいずれか一項に記載のプログラムが記憶された記憶媒体。
【請求項４４】
前記能力情報を、前記ＲＲＣコネクションが切断された後も保持する、
請求項４３記載のプログラムが記憶された記憶媒体。
【請求項４５】
前記ＲＲＣコネクションの確立時に、前記能力情報に基づき、前記無線通信のための無線パラメータを決定し、
前記無線パラメータを、前記移動局に送信する、
請求項３７乃至４４のいずれか一項に記載のプログラムが記憶された記憶媒体。
【発明の詳細な説明】
【技術分野】
【０００１】
本開示は、基地局、移動局、コアネットワーク装置、通信方法、プログラムに関する。
【背景技術】
【０００２】
非特許文献１において、ＵＥ（User Equipment）が、ｅＮｏｄｅ Ｂ（evolved Node B）に対して、UE Capability Informationメッセージを送信する。また、ＭＭＥ（Mobility Management Entity）が、S1AP （S1 Application Protocol）: INITIAL CONTEXT SETUP REQUESTメッセージをｅＮｏｄｅ Ｂに送信する。これらメッセージには、UE Capabilityが含まれている。
【先行技術文献】
【非特許文献】
【０００３】
【非特許文献１】TS36.300（3GPP TS 36.300 V13.3.0(2016-03)、Evolved Universal Terrestrial Radio Access (E-UTRA) and Evolved Universal Terrestrial Radio Access Network (E-UTRAN); Overall description; Stage 2）
【発明の概要】
【発明が解決しようとする課題】
【０００４】
しかし、非特許文献１における上述のメッセージは、RRC（Radio Resource Control）コネクションの確立が完了された後に送信されるため、ｅＮｏｄｅ Ｂは、RRCコネクションの確立が完了する以前に、UE Capabilityを知ることができない。【０００５】
例示的な実施形態の目的の一つは、RRCコネクションの確立が完了する前に、基地局が、移動局の能力情報を知るための新たな仕組みを提供することにある。なお、この目的は、本明細書に開示される実施形態が達成しようとする複数の目的の１つに過ぎないことに留意されるべきである。その他の目的又は課題と新規な特徴は、本明細書の記述又は添付図面から明らかにされる。
【課題を解決するための手段】
【０００６】
例示的な実施形態における基地局は、移動局と無線通信を行うように構成される。基地局は、Radio Resource Control（RRC）コネクションの確立が完了する前に、少なくとも一つの情報要素を含むメッセージを受信するように構成される通信機を有する。基地局は、前記少なくとも一つの情報要素に基づき、前記移動局の能力に関する能力情報を取得するように構成されるプロセッサを有する。【０００７】
他の例示的な実施形態における移動局は、基地局と無線通信を行うように構成される。移動局は、前記移動局の能力に関する能力情報を、メッセージの情報要素として含めるように構成されるプロセッサを有する。移動局は、Radio Resource Control（RRC）コネクションの確立が完了する前に、前記情報要素を含む前記メッセージを、前記基地局に送信するように構成される通信機を有する。【０００８】
他の例示的な実施形態におけるコアネットワーク装置は、基地局と通信可能に構成される。コアネットワーク装置は、移動局の能力に関する能力情報を、メッセージの情報要素として含めるように構成されるプロセッサを有する。コアネットワーク装置は、Radio Resource Control（RRC）コネクションの確立が完了する前に、前記情報要素を含む前記メッセージを、前記基地局に送信するように構成されるインタフェースを有する。【０００９】
他の例示的な実施形態における通信方法において、基地局は、移動局と無線通信を行うように構成される。通信方法は、Radio Resource Control（RRC）コネクションの確立が完了する前に、少なくとも一つの情報要素を含むメッセージを受信すること、前記少なくとも一つの情報要素に基づき、前記移動局の能力に関する能力情報を取得すること、を含む。【００１０】
他の例示的な実施形態におけるプログラムにおいて、基地局は、移動局と無線通信を行うように構成される。プログラムは、Radio Resource Control（RRC）コネクションの確立が完了する前に、少なくとも一つの情報要素を含むメッセージを受信すること、前記少なくとも一つの情報要素に基づき、前記移動局の能力に関する能力情報を取得すること、
をコンピュータに実行させる。
【発明の効果】
【００１１】
例示的な実施形態によれば、RRCコネクションの確立が完了する前に、基地局が、移動局の能力情報を知ることができる。
【図面の簡単な説明】
【００１２】
【図１】第１の例示的な実施形態における移動通信システムを示す。
【図２】第１の例示的な実施形態におけるネットワーク装置を示す。
【図３】第１の例示的な実施形態の動作を示す。
【図４】第２の例示的な実施形態における動作を示す。
【図５】第３の例示的な実施形態の動作を示す。
【図６】例示的な実施形態に関連する技術を示す。
【図７】例示的な実施形態に関連する他の技術を示す。
【図８】第４の例示的な実施形態における基地局を示す。
【図９】第４の例示的な実施形態における移動局を示す。
【図１０】第４の例示的な実施形態におけるコアネットワーク装置を示す。
【発明を実施するための形態】
【００１３】
例示的な実施形態について、図面を参照して詳細に説明する。各図面において、同一又は対応する要素には同一の符号が付されており、説明の明確化のため、必要に応じて重複説明は省略される。
【００１４】
以下に説明される複数の例示的な実施形態は、独立に実施されることもできるし、適宜組み合わせて実施されることもできる。
【００１５】
＜第１の例示的な実施形態＞
図１は、第１の例示的な実施形態における移動通信システム（単に通信システムとも言う）を示す。移動通信システムは、移動通信端末装置(User Equipment: UE)３００、無線基地局装置（evolved Node B: eNode Ｂ）１００、移動通信端末装置のMobilityを管理する管理装置（Mobility Management Entity:MME）２００、およびコアネットワーク５００から構成される。ｅＮｏｄｅ Ｂ１００は、セル５０を形成する。
【００１６】
図２は、第１の例示的な実施形態におけるネットワーク装置を示す。
ネットワーク装置１０は、図１におけるｅＮｏｄｅ Ｂ１００に対応する。ネットワーク装置１０は、記憶装置２１と、通信機２４と、ネットワークインタフェース２５と、プロセッサ２６を有する。プロセッサ２６は、判定部２２と、処理部２３を有する。なお、ｅＮｏｄｅ Ｂ１００は、ＬＴＥ(Long Term Evolution)が適用される基地局である。
【００１７】
通信機２４は、ＵＥ３００からの物理チャネル信号を受信するように構成されている。物理チャネルの例として、PUCCH(Physical Uplink Control Channel)とPUSCH(Physical Uplink Shared Channel)が挙げられる。
【００１８】
また、通信機２４は、ＵＥ３００への物理チャネル信号を送信するように構成されている。物理チャネルの例として、PDCCH(Physical Downlink Control Channel)とPDSCH(Physical Downlink Shared Channel)が挙げられる。
【００１９】
また、通信機２４は、3GPP（3rd Generation Partnership Project）の各種メッセージの送受信を行うように構成される。例えば、通信機２４は、PUSCH、PDSCHで伝送されるRRC (Radio Resource Control)プロトコルメッセージを送受信する。
【００２０】
ネットワークインタフェース２５は、S1AP(S1 Application Protocol)プロトコルメッセージを送受信するように構成される。また、ネットワークインタフェース２５は、コアネットワーク５００に含まれるＳＧＷ(Serving Gateway)やＰＧＷ（Packet Data Network (PDN) Gateway）との間でデータを送受信するように構成される。
【００２１】
記憶装置２１は、通信機２４またはネットワークインタフェース２５で受信したUE能力情報を保持（記憶）するように構成される。
【００２２】
判定部２２は、記憶装置２１が保持する情報に基づきＵＥの能力を判定するように構成される。また、判定部２２は、記憶装置２１が保持する情報と通信機２４で受信した無線品質情報を用いた無線方式選択を行うように構成される。
【００２３】
処理部２３は、判定部２２のＵＥ能力の判定結果に基づき、通信機24 で送信するメッセージの作成を行うように構成される。
通信機２４は、判定部22の無線方式選択結果に基づいた無線送受信を行う。
【００２４】
図３は、第１の例示的な実施形態の動作を示す。
【００２５】
Ｓ１０１において、ＵＥ３００は、RRCプロトコルメッセージであるRRC Connection RequestメッセージにUE能力情報を含める（設定する）。このRRC Connection Requestメッセージが、ＵＥ３００からｅＮｏｄｅ Ｂ１００に送信される。
【００２６】
ここで、UE能力情報は、例えば、ＵＥ３００がサポートするTransmission Mode（伝送モード）を示す情報を含んでもよい。これにより、ｅＮｏｄｅ Ｂ１００は、ＵＥ３００がどのような伝送モードをサポートしているか知ることができる。
【００２７】
また、UE能力情報は、標準化で規定されている情報要素（Information Element）であるestablishment Causeに新規の値として設定されてもよい。また、UE能力情報は、新しいInformation Elementとして追加設定されてもよい。
【００２８】
Ｓ１０２において、ｅＮｏｄｅ Ｂ１００の通信機２４がRRC Connection Requestメッセージを受信すると、ｅＮｏｄｅ Ｂ１００の通信機２４は、RRC Connection RequestメッセージからUE能力情報を取り出す（取得する）。取り出されたUE能力情報は、記憶装置２１に通知される。記憶装置２１は、UE能力情報を保存する。
【００２９】
Ｓ１０３において、記憶装置２１がUE能力情報を保存している場合に、判定部２２は、ＵＥ３００の能力判定を行う。例えば、ＵＥ３００がTransmission Mode 7、8、または、9をサポートしている（サポート有り）か否かを、判定部２２は判定する。サポート有と判定した場合、判定部２２は、処理部２３に対して、Transmission Mode 7、8、または、9のサポート有無に関する情報を通知する。
【００３０】
Ｓ１０４において、処理部２３は、通知を受けたサポート有無に関する情報に基づいて、無線パラメータ（設定情報）の設定を行う。Transmission Mode 7、Transmission Mode 8、または、Transmission Mode 9のサポート有りが通知された場合における動作の一例がＳ１０５に示される。
【００３１】
Ｓ１０５において、ｅＮｏｄｅ Ｂ１００の通信機２４は、RRCプロトコルメッセージであるRRC Connection Setupメッセージを、ＵＥ３００に送信する。RRC Connection Setupメッセージに含まれる情報要素（Information Element）の一つであるtransmissionMode、または、transmissionMode-r10に対して、「tm7」、「tm8-v920」または、「tm9-v1020」が設定される。Ｓ１０５を送信した後において、ＵＥ３００との通信に対して、Transmission Mode 7、Transmission Mode 8、または、Transmission Mode 9が適用される。なお、「tm7」、「tm8-v920」及び「tm9-v1020」は、Transmission Mode 7、Transmission Mode 8及びTransmission Mode 9を、それぞれ示す。なお、ここでは、Transmission Mode 9までしか示されていないが、例えば、Transmission Mode 10に対して、「tm10-v1130」が設定されてもよい。Transmission Mode 11以降において、それぞれの伝送モードに応じた値が設定されうる。
【００３２】
Ｓ１０６において、ＵＥ３００は、RRC Connection Setupメッセージを受信すると、RRCコネクションの確立完了を確認するためのRRC Connection Setup Completeメッセージを、ｅＮｏｄｅ Ｂ１００に送信する。RRC Connection Setup Completeメッセージを送信した後から、ＵＥ３００は、RRC Connection Setupメッセージに示される無線パラメータを適用し、Transmission Mode 7、Transmission Mode 8、または、Transmission Mode 9での通信を行う。
【００３３】
なお、「transmissionMode」及び／又は「transmissionMode-r10」の情報要素は、無線パラメータに含まれても良いし、無線パラメータとは別の情報要素として、RRC Connection Setupメッセージに含まれても良い。
【００３４】
Ｓ１０７において、ＵＥ３００は設定したTransmission Modeに応じて、無線品質の測定を行う。ＵＥ３００は、測定結果に基づくアップリンクの制御情報を、PUCCHまたはPUSCHを使用したCSI-Reportにて、ｅＮｏｄｅ Ｂ１００に通知（送信）する。このアップリンクの制御情報には、チャネル状態情報が含まれる。チャネル状態情報は、例えば、PMI(Precoding Matrix Indicator)、CQI(Channel Quality Indicator)、またはRI(Rank Indicator)の少なくとも一つを含む。
【００３５】
Ｓ１０８において、ｅＮｏｄｅ Ｂ１００の通信機２４がCSI-Reportを受信する。受信したCSI-Reportに基づく無線品質に応じて、判定部２２は、送信レイヤ数、ビームフォーミングの選択等を行う。通信機２４は、判定部22で選択された方式またはパラメータに基づき、ＵＥ３００との無線通信を行う。例えば、ｅＮｏｄｅ Ｂ１００はチャネル状態情報に応じて、情報レートを変化させる。
【００３６】
例示的な実施形態によれば、ＵＥとｅＮｏｄｅＢの間でＲＲＣ コネクション確立時にＵＥ能力に応じた無線通信が可能となり、RRCコネクション確立後の無線パラメータ変更が不要となる。その理由の一つは、RRCコネクション確立時の無線パラメータ設定において、不要な情報も含むUE-EUTRA-Capabilityを使用することなく、必要な情報のみをRRC コネクション確立時にＵＥがｅＮｏｄｅＢに通知するからである。
【００３７】
また、ｅＮｏｄｅＢはＵＥの能力に応じた無線パラメータ設定を行い、RRC コネクション確立後にＵＥの能力に応じた無線パラメータ設定に基づく、無線品質の情報をＵＥから受信することができる。
【００３８】
＜第２の例示的な実施形態＞
第１の例示的な実施形態では、RRC Connection Setupに設定する無線パラメータを決定するために使用するUE能力情報をRRC Connection Requestメッセージから取得している。
【００３９】
第２の例示的な実施形態において、ＵＥ３００がRRC Connection Requestメッセージを送信する契機となるS1AP（S1 Application Protocol）: PagingメッセージでＭＭＥ２００から、無線パラメータを決定するために使用するUE能力情報を取得する。
【００４０】
本実施形態に関するネットワーク装置１０（ｅＮｏｄｅ Ｂ１００）の構成は、図２と同様である。
【００４１】
図４は、第２の例示的な実施形態における動作を示す。
Ｓ２０１において、ＭＭＥ２００は、ｅＮｏｄｅ Ｂ１００に、S1APプロトコルメッセージであるS1AP: Pagingメッセージを送信する。S1AP: Pagingメッセージには、UEを識別する識別情報であるS-TMSIとUE能力情報とが、ＭＭＥ２００によって含められる。S-TMSIとは、SAE(System Architecture Evolution) Temporary Mobile Subscriber Identityの略称であり、ＭＭＥ２００が、ＵＥ３００の位置登録時に払い出すUEの識別子である。なお、S-TMSIとUE能力情報は、S1AP: Pagingメッセージに含まれる情報要素として送信される。
【００４２】
Ｓ２０２において、ｅＮｏｄｅ Ｂ１００のネットワークインタフェース２５が、Pagingを受信する。受信したメッセージに含まれるS-TMSIとUE能力情報が、記憶装置２１に保存される。
【００４３】
Ｓ２０３において、ｅＮｏｄｅ Ｂ１００は、ＵＥ３００に対して、RRC: Pagingメッセージを送信する。
【００４４】
この後、ＵＥ３００が、Pagingメッセージに応じてｅＮｏｄｅ Ｂ１００に対し、RRC Connection確立を試みた場合に、RRC: RRC Connection Requestメッセージを送信する。このメッセージには、S-TMSIが含まれているが、UE能力情報が含まれていない。
【００４５】
ｅＮｏｄｅ Ｂ１００が受信したS-TMSIがＳ２０２で保存したS-TMSIと同じ場合、ｅＮｏｄｅ Ｂ１００は、図３の能力判定において、このS-TMSIに対応づけられたUE能力情報を使うことができる。
【００４６】
第２の例示的な実施形態によれば、RRC: RRC Connection RequestメッセージにUE能力情報を含めずに、ＭＭＥ２００からの情報に基づいて、ｅＮｏｄｅ Ｂ１００は、UE能力情報を知ることができる。また、RRC: RRC Connection Requestメッセージの仕様を変更せずに第１の例示的な実施形態と同様の効果を実現できる。
【００４７】
＜第３の例示的な実施形態＞
第３の実施形態に関するネットワーク装置１０（ｅＮｏｄｅ Ｂ１００）の構成は、図２と同様である。
【００４８】
図５は、第３の例示的な実施形態の動作を示す。
Ｓ３０１において、UE 無線アクセス能力パラメータの転送を要求するためのメッセージであるRRC: UE Capability Enquiryを、ｅＮｏｄｅ Ｂ１００が、ＵＥ３００に対して送信する。
【００４９】
Ｓ３０２において、ＵＥ３００は、RRC: UE Capability Informationメッセージを、ｅＮｏｄｅ Ｂ１００に送信する。このUE Capability Informationメッセージには、情報要素として、UE-EUTRA-Capability情報が含まれる。
【００５０】
Ｓ３０３において、UE-EUTRA-CapabilityからUE能力情報を作成（取得）し、作成したUE能力情報とUEを識別するためのS-TMSIとを対応づけて保存する。
【００５１】
ここで、Transmission ModeをUEがサポートしているかどうかの有無に関する例を示す。
【００５２】
例えば、UE-EUTRA-CapabilityのInformation Elementであるue-SpecificRefSigsSupportedがtrueの場合、ＵＥ３００がTransmission Mode 7をサポート有と判断され、この情報がS-TMSIとともにｅＮｏｄｅ Ｂ１００の記憶装置２１に保存される。
【００５３】
また、Information ElementであるenhancedDualLayerFDDがsupportedの場合、ＵＥ３００がTransmission Mode 8をサポート有と判断され、この情報がS-TMSIとともにｅＮｏｄｅ Ｂ１００の記憶装置２１に保存される。
【００５４】
また、Information Elementであるfdd-Add-UE-EUTRA-Capabilities-v1060内のfeatureGroupIndRel10-v1060のIndex103が1であれば、ＵＥ３００がTransmission Mode 9をサポート有と判断され、この情報が、S-TMSIとともにｅＮｏｄｅ Ｂ１００の記憶装置２１に保存される。
【００５５】
Ｓ３０４において、ｅＮｏｄｅ Ｂ１００は、ＭＭＥ２００に対して、S1AP: UE CAPABILITY INFO INDICATIONメッセージを送信する。S1AP: UE CAPABILITY INFO INDICATIONには、ＵＥの能力情報（capability information）が含まれる。
【００５６】
ここで、Ｓ３０３にて保存された情報は、RRC Connection切断後もｅＮｏｄｅ Ｂ１００の記憶装置２１に保持されうる。
【００５７】
RRC Connection切断後も当該情報を保持しておく（端末の情報として例えばS-TMSIとUE能力情報を対応付けて記憶しておく）ことで、次回のRRC Connection確立時に、Information ElementのS-TMSIが含まれていれば図３のUE能力判定S103で使用可能となる。
この実施形態でも、S101のRRC Connection RequestメッセージにUE能力情報を含めずに類似の効果が得られる。
【００５８】
また、UE-EUTRA-Capability取得時に、RRC Connection Setupに設定する無線パラメータを決定するために使用するUE能力情報を作成し保存しておくことでも類似の効果が得られる。
【００５９】
＜関連技術について＞
図６及び７は、例示的な実施形態に関連する技術を示す。
図６のＳ４０１のRRC Connection Requestメッセージには、UE Capabilityが含まれていない。
Ｓ４０８において、ＭＭＥ２００がｅＮｏｄｅ Ｂ１００に対して送信するS1AP: INITIAL CONTEXT SETUP REQUESTメッセージに、UE Capabilityが含まれている。
【００６０】
Ｓ４０８で、ＭＭＥ２００からUE Capabilityが通知されなかった場合は、Ｓ４０８に継続して図７の動作が実施される。
【００６１】
図７において、ｅＮｏｄｅ Ｂ１００は、ＵＥ３００に対して送信されるRRC: UE Capability Enquiryメッセージ（Ｓ５０１）に対する、ＵＥ３００からのRRC: UE Capability Informationメッセージによって、UE Capabilityの通知を受ける（Ｓ５０２）。
【００６２】
上記２つのケースにおいて、UE CapabilityがｅＮｏｄｅ Ｂ１００に通知されるのは、Ｓ４０８以降であるため、Ｓ４０３のRRC Connection Setupメッセージを送信するための無線リソース設定（Ｓ４０２）において、通知されていないUE Capabilityを使用することが出来ない。つまり、Ｓ４０５のCSI(channel state information)-Reportは、UEの能力に応じた無線パラメータを設定していない段階での無線品質報告である。このため、例えば、無線利用効率が良いレイヤ数指定やビームフォーミングを行うことが出来ない。
【００６３】
この関連技術では、Ｓ４１１において、RRC: RRC Connection ReconfigurationメッセージをＵＥ３００が受信したときに、Ｓ４０８またはＳ５０２で取得したUE能力情報に応じた無線パラメータが設定される。この設定に基づく無線品質報告は、Ｓ４１４のCSI-reportにて行われる。
【００６４】
このように、Ｓ４１５で、無線利用効率が良いレイヤ数指定やビームフォーミングを行うまでは、実際のＵＥ能力よりも低い方式での無線通信を行うことが、課題となりうることを、発明者は、見出した。また、UEの能力情報に応じた無線パラメータ設定に基づく、無線品質の情報をＵＥから受信することが出来ず、ｅＮｏｄｅ Ｂが無線帯域を有効利用できないことが、課題となりうることを、発明者は、見出した。
【００６５】
上述した例示的な実施形態に示される仕組みによれば、例えば、初回の無線パラメータ設定メッセージであるＳ４０１においてUE能力情報が通知される。このため、早い段階で、無線利用効率が良いレイヤ数指定やビームフォーミングを行うことができる。例えば、Transmission Mode（伝送モード）などで高効率な方式を適用可能なＵＥに対して、RRC Connection確立時には低効率な方式が採用されてしまうことを、例示的な実施形態によって、防止できる。また、低効率な方式が採用されてしまうことによって、UE-EUTRA-Capabilityの取得後にRRC Connection Reconfigurationによる無線パラメータの再設定を行うことを防止できる。
【００６６】
このように、ＵＥの能力に適合した無線パラメータ設定を行うまでの時間を短縮できる。また、再度の無線パラメータ設定手順を抑制することができる。
【００６７】
＜第４の例示的な実施形態＞
図８は、第４の例示的な実施形態における基地局を示す。
基地局６０は、移動局と無線通信を行うように構成される。基地局６０は、通信機６１とプロセッサ６２を有する。
通信機６１は、Radio Resource Control（RRC）コネクションの確立が完了する前に、少なくとも一つの情報要素を含むメッセージを受信するように構成される。
プロセッサ６２は、少なくとも一つの情報要素に基づき、移動局の能力に関する能力情報を取得するように構成される。
【００６８】
図９は、第４の例示的な実施形態における移動局を示す。
移動局７０は、基地局と無線通信を行うように構成される。移動局７０は、通信機７１と、プロセッサ７２を有する。
プロセッサ７２は、移動局７０の能力に関する能力情報を、メッセージの情報要素として含めるように構成される。
通信機７１は、Radio Resource Control（RRC）コネクションの確立が完了する前に、情報要素を含むメッセージを、基地局に送信するように構成される。
【００６９】
図１０は、第４の例示的な実施形態におけるコアネットワーク装置を示す。
コアネットワーク装置８０は、基地局と通信可能に構成される。コアネットワーク装置８０は、インタフェース８１と、プロセッサ８２を有する。
プロセッサ８２は、移動局の能力に関する能力情報を、メッセージの情報要素として含めるように構成される。
インタフェース８１は、Radio Resource Control（RRC）コネクションの確立が完了する前に、情報要素を含むメッセージを、基地局に送信するように構成される。
【００７０】
本実施形態によれば、RRCコネクションの確立が完了する前に、基地局が、移動局の能力情報を知ることができる。
【００７１】
＜その他の例示的な実施形態＞
上述した記憶装置２１、判定部２２、処理部２３、通信機２４、ネットワークインタフェース２５、プロセッサ２６、通信機６１、プロセッサ６２、通信機７１、プロセッサ７２、インタフェース８１、プロセッサ８２の実現方式はソフトウェアでも良いし、ハードウェアによるものでも良い。
【００７２】
また、各部を異なるソフトウェア、ハードウェアで実現しても良いし、一部、あるいは全てを同一のソフトウェア、ハードウェアで実現しても良い。
【００７３】
また、ネットワーク装置の他の機能を実現するソフトウェア、ハードウェアの一部として実現しても良い。
【００７４】
また、上記実施形態では、ＬＴＥ方式の無線通信システムが例として示されたが、様々な実施形態の方法及び装置のうちの少なくともいくつかは、多くの非ＬＴＥ及び/または非セルラーシステムを含む広範囲の通信システムに適用可能である。例えば、上記実施形態は、ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）方式であってもよい。また、例えば、上記実施形態は、LTE-AdvancedまたはLTE-Advanced Proへの適用が可能である。
【００７５】
また、処理内容を手順として記述したコンピュータプログラム（以下、プログラムと称する）を、通信システムを構成する要素のそれぞれにて読取可能な記録媒体に記録し、この記録媒体に記録されたプログラムが通信システムの各構成要素それぞれに読み込まれ、実行されるものであっても良い。
【００７６】
この記録媒体に記録されたプログラムは、通信システムの各構成要素それぞれに設けられたCentral Processing Unit (CPU)にて読み込まれ、CPUの制御によって、上述したものと同様の処理が行われる。ここで、CPUは、プログラムが記録された記録媒体から読み込まれたプログラムを実行するコンピュータとして動作するものである。
【００７７】
上述の例において、プログラムは、様々なタイプの非一時的なコンピュータ可読媒体（non-transitory computer readable medium）を用いて格納され、コンピュータに供給することができる。非一時的なコンピュータ可読媒体は、様々なタイプの実体のある記録媒体（tangible storage medium）を含む。非一時的なコンピュータ可読媒体の例は、磁気記録媒体（例えばフレキシブルディスク、磁気テープ、ハードディスクドライブ）、光磁気記録媒体（例えば光磁気ディスク）、ＣＤ（Compact Disc）−ＲＯＭ（Read Only Memory）、ＣＤ−Ｒ（Ｃｏｍｐａｃｔ Ｄｉｓｃ Ｒｅｃｏｒｄａｂｌｅ）、ＣＤ−Ｒ／Ｗ（Ｃｏｍｐａｃｔ Ｄｉｓｃ Ｒｅｗｒｉｔａｂｌｅ）、Digital Versatile Disc (DVD、登録商標)、半導体メモリ（例えば、マスクＲＯＭ、ＰＲＯＭ（Programmable ROM）、ＥＰＲＯＭ（Erasable PROM）、フラッシュＲＯＭ、ＲＡＭ（Random Access Memory））を含む。また、プログラムは、様々なタイプの一時的なコンピュータ可読媒体（transitory computer readable medium）によってコンピュータに供給されてもよい。一時的なコンピュータ可読媒体の例は、電気信号、光信号、及び電磁波を含む。一時的なコンピュータ可読媒体は、電線及び光ファイバ等の有線通信路、又は無線通信路を介して、プログラムをコンピュータに供給できる。
【００７８】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００７９】
＜付記＞
前述の例示的な実施形態の一部または全部は、以下の各付記のようにも記載することができる。しかしながら、以下の各付記は、あくまでも、本発明の単なる例示に過ぎず、本発明は、かかる場合のみに限るものではない。
（付記１）
移動局と無線通信を行うように構成される基地局であって、
Radio Resource Control（RRC）コネクションの確立が完了する前に、少なくとも一つの情報要素を含むメッセージを受信するように構成される通信機と、
前記少なくとも一つの情報要素に基づき、前記移動局の能力に関する能力情報を取得するように構成されるプロセッサと、を有する、
基地局。
（付記２）
前記能力情報は、
前記移動局の伝送モードを示す情報である、
付記１に記載の基地局。
（付記３）
前記メッセージは、
前記移動局によって送信されるRRC Connection Requestメッセージである、
付記１または２に記載の基地局。
（付記４）
前記メッセージは、
前記基地局と通信するコアネットワーク装置によって送信される、PAGINGメッセージである、
付記１または２に記載の基地局。
（付記５）
前記PAGINGメッセージに含まれる前記少なくとも一つの情報要素は、
前記能力情報と、前記移動局を識別する識別情報を、含む、
付記４記載の基地局。
（付記６）
前記メッセージは、
前記ＲＲＣコネクションが確立される以前に切断されたＲＲＣコネクションに関する前記移動局から送信されたUE Capability Informationメッセージであり、
前記ＲＲＣコネクションの確立時に、前記UE Capability Informationメッセージに含まれる前記能力情報に基づき、前記無線通信のための無線パラメータが決定される、
付記１または２に記載の基地局。
（付記７）
前記ＲＲＣコネクションの確立時に、前記能力情報を保持するように構成される記憶装置を有する、
付記１乃至６のいずれか一項に記載の基地局。
（付記８）
前記記憶装置は、
前記能力情報を、前記ＲＲＣコネクションが切断された後も保持する、
付記７記載の基地局。
（付記９）
前記プロセッサは、
前記ＲＲＣコネクションの確立時に、前記能力情報に基づき、前記無線通信のための無線パラメータを決定し、
前記通信機は、
前記無線パラメータを、前記移動局に送信する、
付記１乃至８のいずれか一項に記載の基地局。
（付記１０）
基地局と無線通信を行うように構成される移動局であって、
前記移動局の能力に関する能力情報を、メッセージの情報要素として含めるように構成されるプロセッサと、
Radio Resource Control（RRC）コネクションの確立が完了する前に、前記情報要素を含む前記メッセージを、前記基地局に送信するように構成される通信機と、を有する、
移動局。
（付記１１）
前記能力情報は、
前記移動局の伝送モードを示す情報である、
付記１０に記載の移動局。
（付記１２） 
前記メッセージは、
前記移動局によって送信されるRRC Connection Requestメッセージである、
付記１０または１１に記載の移動局。
（付記１３）
前記メッセージは、
前記ＲＲＣコネクションが確立される以前に切断されたＲＲＣコネクションに関する前記移動局から送信されたUE Capability Informationメッセージであり、
前記ＲＲＣコネクションの確立時に、前記UE Capability Informationメッセージに含まれる前記能力情報に基づき、前記無線通信のための無線パラメータが決定される、
付記１０または１１に記載の移動局。
（付記１４）
前記ＲＲＣコネクションの確立時に、前記能力情報に基づき、前記無線通信のための無線パラメータを決定され、
前記通信機は、
前記決定された前記無線パラメータを、前記基地局から受信する、
付記１０乃至１３のいずれか一項に記載の移動局。
（付記１５）
基地局と通信可能に構成されるコアネットワーク装置であって、
移動局の能力に関する能力情報を、メッセージの情報要素として含めるように構成されるプロセッサと、
Radio Resource Control（RRC）コネクションの確立が完了する前に、前記情報要素を含む前記メッセージを、前記基地局に送信するように構成されるインタフェースと、を有する、
コアネットワーク装置。
（付記１６）
前記能力情報は、
前記移動局の伝送モードを示す情報である、
付記１５に記載のコアネットワーク装置。
（付記１７）
前記メッセージは、
前記コアネットワーク装置によって送信される、PAGINGメッセージである、
付記１５または１６に記載のコアネットワーク装置。
（付記１８）
前記PAGINGメッセージに含まれる前記少なくとも一つの情報要素は、
前記能力情報と、前記移動局を識別する識別情報を、含む、
付記１７記載のコアネットワーク装置。
（付記１９）
通信システムであって、
移動局と、
前記移動局と無線通信する基地局とを有し、
前記基地局は、
Radio Resource Control（RRC）コネクションの確立が完了する前に、少なくとも一つの情報要素を含むメッセージを受信し、
前記少なくとも一つの情報要素に基づき、前記移動局の能力に関する能力情報を取得する、
通信システム。
（付記２０）
前記能力情報は、
前記移動局の伝送モードを示す情報である、
付記１９に記載の通信システム。
（付記２１）
前記メッセージは、
前記移動局によって送信されるRRC Connection Requestメッセージである、
付記１９または２０に記載の通信システム。
（付記２２）
前記メッセージは、
前記基地局と通信するコアネットワーク装置によって送信されるPAGINGメッセージである、
付記１９または２０に記載の通信システム。
（付記２３）
前記PAGINGメッセージに含まれる前記少なくとも一つの情報要素は、
前記能力情報と、前記移動局を識別する識別情報を、含む、
付記２２記載の通信システム。
（付記２４）
前記メッセージは、
前記ＲＲＣコネクションが確立される以前に切断されたＲＲＣコネクションに関する前記移動局から送信されたUE Capability Informationメッセージであり、
前記基地局は、
前記ＲＲＣコネクションの確立時に、前記UE Capability Informationメッセージに含まれる前記能力情報に基づき、前記無線通信のための無線パラメータを決定する、
付記１９または２０に記載の通信システム。
（付記２５）
前記基地局は、
前記ＲＲＣコネクションの確立時に、前記能力情報を保持する、
付記１９乃至２４のいずれか一項に記載の通信システム。
（付記２６）
前記基地局は、
前記能力情報を、前記ＲＲＣコネクションが切断された後も保持する、
付記２５記載の通信システム。
（付記２７）
前記基地局は、
前記ＲＲＣコネクションの確立時に、前記能力情報に基づき、前記無線通信のための無線パラメータを決定し、
前記無線パラメータを、前記移動局に送信する、
付記１９乃至２６のいずれか一項に記載の通信システム。
（付記２８）
移動局と無線通信を行うように構成される基地局の通信方法であって、
Radio Resource Control（RRC）コネクションの確立が完了する前に、少なくとも一つの情報要素を含むメッセージを受信し、
前記少なくとも一つの情報要素に基づき、前記移動局の能力に関する能力情報を取得する、
通信方法。
（付記２９）
前記能力情報は、
前記移動局の伝送モードを示す情報である、
付記２８に記載の通信方法。
（付記３０）
前記メッセージは、
前記移動局によって送信されるRRC Connection Requestメッセージである、
付記２８または２９に記載の通信方法。
（付記３１）
前記メッセージは、
前記基地局と通信するコアネットワーク装置によって送信される、PAGINGメッセージである、
付記２８または２９に記載の通信方法。
（付記３２）
前記PAGINGメッセージに含まれる前記少なくとも一つの情報要素は、
前記能力情報と、前記移動局を識別する識別情報を、含む、
付記３１記載の通信方法。
（付記３３）
前記メッセージは、
前記ＲＲＣコネクションが確立される以前に切断されたＲＲＣコネクションに関する前記移動局から送信されたUE Capability Informationメッセージであり、
前記ＲＲＣコネクションの確立時に、前記UE Capability Informationメッセージに含まれる前記能力情報に基づき、前記無線通信のための無線パラメータを決定する、
付記２８または２９に記載の通信方法。
（付記３４）
前記ＲＲＣコネクションの確立時に、前記能力情報を保持する、
付記２８乃至３３のいずれか一項に記載の通信方法。
（付記３５）
前記能力情報を、前記ＲＲＣコネクションが切断された後も保持する、
付記３４記載の通信方法。
（付記３６）
前記ＲＲＣコネクションの確立時に、前記能力情報に基づき、前記無線通信のための無線パラメータを決定し、
前記無線パラメータを、前記移動局に送信する、
付記２８乃至３５のいずれか一項に記載の通信方法。
（付記３７）
移動局と無線通信を行うように構成される基地局のプログラムであって、
Radio Resource Control（RRC）コネクションの確立が完了する前に、少なくとも一つの情報要素を含むメッセージを受信すること、
前記少なくとも一つの情報要素に基づき、前記移動局の能力に関する能力情報を取得すること、
をコンピュータに実行させるプログラム。
（付記３８）
前記能力情報は、
前記移動局の伝送モードを示す情報である、
付記３７に記載のプログラム。
（付記３９）
前記メッセージは、
前記移動局によって送信されるRRC Connection Requestメッセージである、
付記３７または３８に記載のプログラム。
（付記４０）
前記メッセージは、
前記基地局と通信するコアネットワーク装置によって送信される、PAGINGメッセージである、
付記３７または３８に記載のプログラム。
（付記４１）
前記PAGINGメッセージに含まれる前記少なくとも一つの情報要素は、
前記能力情報と、前記移動局を識別する識別情報を、含む、
付記４０記載のプログラム。
（付記４２）
前記メッセージは、
前記ＲＲＣコネクションが確立される以前に切断されたＲＲＣコネクションに関する前記移動局から送信されたUE Capability Informationメッセージであり、
前記ＲＲＣコネクションの確立時に、前記UE Capability Informationメッセージに含まれる前記能力情報に基づき、前記無線通信のための無線パラメータを決定する、
付記３７または３８に記載のプログラム。
（付記４３）
前記ＲＲＣコネクションの確立時に、前記能力情報を保持する、
付記３７乃至４２のいずれか一項に記載のプログラム。
（付記４４）
前記能力情報を、前記ＲＲＣコネクションが切断された後も保持する、
付記４３記載のプログラム。
（付記４５）
前記ＲＲＣコネクションの確立時に、前記能力情報に基づき、前記無線通信のための無線パラメータを決定し、
前記無線パラメータを、前記移動局に送信する、
付記３７乃至４４のいずれか一項に記載のプログラム。
【００８０】
この出願は、２０１６年７月２５日に出願された日本出願特願２０１６−１４５１１５を基礎とする優先権を主張し、その開示の全てをここに取り込む。
【符号の説明】
【００８１】
１０  ネットワーク装置
２１  記憶装置
２２  判定部
２３  処理部
２４  通信機
２５  ネットワークインタフェース
２６  プロセッサ
５０  セル
６０  基地局
６１  通信機
６２  プロセッサ
７０  移動局
７１  通信機
７２  プロセッサ
８０  コアネットワーク装置
８１  インタフェース
８２  プロセッサ
１００  ｅＮｏｄｅ Ｂ
２００  ＭＭＥ
３００  ＵＥ
５００  コアネットワーク
【図１】
2018021080.tif 000003
【図２】
2018021080.tif 000004
【図３】
2018021080.tif 000005
【図４】
2018021080.tif 000006
【図５】
2018021080.tif 000007
【図６】
2018021080.tif 000008
【図７】
2018021080.tif 000009
【図８】
2018021080.tif 000010
【図９】
2018021080.tif 000011
【図１０】
2018021080.tif 000012
【国際調査報告】
2018021080.tif 000013
2018021080.tif 000014
2018021080.tif 000015
2018021080.tif 000016